(57)【要約】【課題】電力量計を直に壁面にねじで取り付けた後に、ねじを使用しないで化粧箱を電力量計に取り付けることで、作業効率を向上させ、コストを低減できる電力量計用化粧箱を提供する。【解決手段】正面部１５−１と側面部１５−２と背面部１５−３で形成され、背面部１５−３に開口部１７が形成され、開口部１７に電力量計１を収納可能な電力量計用化粧箱であって、背面部１５−３の上部と背面部１５−３の下部左右面に、電力量計１の背面部を抱え込むように取り付けるための凸部からなる上部取付部１８及び下部取付部１９が形成されている。【選択図】図１
2018004580.tif 000002
【特許請求の範囲】
【請求項１】
正面部と側面部と背面部で形成され、前記背面部に電力量計を収納可能な開口部が形成された電力量計用化粧箱であって、
前記背面部の上部と前記背面部の下部左右面に、前記電力量計の背面部を抱え込むように取り付けるための凸部が形成されていることを特徴とする電力量計用化粧箱。
【請求項２】
電力量計に取り付け可能に構成された電力量計用化粧箱であって、
正面部と側面部と背面部で形成され、前記背面部に電力量計を収納可能な開口部が形成された化粧箱本体と、
前記化粧箱本体の上部に取り付けられ、且つ上下に摺動することで前記電力量計を取付及び取外し可能な上部取付部と、
前記化粧箱本体の下部の左右側面部に取り付けられ、且つ上下又は左右に摺動することで前記電力量計を取付及び取外し可能な下部取付部と、
を備えることを特徴とする電力量計用化粧箱。
【請求項３】
正面部と側面部と背面部で形成され、前記背面部に電力量計を収納可能な開口部が形成された化粧箱本体を有し、
前記化粧箱本体の前記背面部の下部左右面に、前記電力量計の背面部を抱え込むように取り付けるための凸部が形成され、且つ前記化粧箱本体の上部に取り付けられ、且つ上下に摺動することで前記電力量計を取付及び取外し可能な上部取付部を備えることを特徴とする電力量計用化粧箱。
【請求項４】
正面部と側面部と背面部で形成され、前記背面部に電力量計を収納可能な開口部が形成された化粧箱本体を有し、
前記化粧箱本体の前記背面部の上部に、前記電力量計の背面部を抱え込むように取り付けるための凸部が形成され、且つ前記化粧箱本体の下部の左右側面部に取り付けられ、且つ上下又は左右に摺動することで前記電力量計を取付及び取外し可能な下部取付部を備えることを特徴とする電力量計用化粧箱。
【請求項５】
正面部と側面部と背面部で形成され、前記背面部に電力量計を収納可能な開口部が形成された化粧箱カバーと、上部と下部左右面に前記電力量計の背面部を抱え込むように取り付けるための凸部が形成された化粧箱ベースとで構成された電力量計用化粧箱であって、
前記化粧箱カバーには前記化粧箱ベースに取り付けるための化粧箱ベース嵌合部が設けられ、前記化粧箱ベースには前記化粧箱カバーを取り付けるための化粧箱カバー嵌合部が設けられ、前記化粧箱カバー嵌合部は、前記化粧箱ベース嵌合部に嵌合し、前記化粧箱ベース嵌合部は、前記電力量計の設定又は交換作業時に回転して、前記化粧箱カバーを退避させる被嵌合部を備えることを特徴とする電力量計用化粧箱。
【発明の詳細な説明】
【技術分野】
【０００１】
本発明は、電力量計用化粧箱に関する。
【背景技術】
【０００２】
図１１は、従来の電力量計の斜視図である。図１１（ａ）は電力量計外観を示し、図１１（ｂ）はカバー７が取り外されケース５にベース６が取り付けられた状態を示す。
【０００３】
電力量計は、図１２に示すように、電力量を表示する表示部１ａを有する回路部１−１と、電流線取付ねじ２を有する導体部３と、導体部３に流れる電流を検出するセンサ部４と、これらを収納するケース５と、ベース６と、カバー７とを備えている。カバー７にはカバー取付ねじ８が設けられている。
【０００４】
また、電力量計を覆う電力量計用化粧箱は、図１３（ａ）に示すように、平板状の化粧箱ベース１０と、化粧箱ベース１０を覆う箱状の化粧箱カバー１１とからなる。図１３（ｂ）に示すように、化粧箱カバー１１の背面側の四隅には凸部１１ａが形成されている。
【０００５】
図１３（ｄ）に示すように、化粧箱ベース１０は、図示しない壁面に、４つの化粧箱ベース取付ねじ１２により取り付けられる。次に、図１３（ｄ）に示すように、電力量計１が化粧箱ベース１０に３つの電力量計取付ねじ１３により取り付けられる。さらに、図１３（ｃ）に示す化粧箱ベース１０に形成された凹部１０ａに、図１３（ｂ）に示す化粧箱カバー１１に形成された凸部１１ａが嵌合して取り付けられる。
【０００６】
なお、従来技術として、電力量計の計器箱が知られている。（特許文献１）
【先行技術文献】
【特許文献】
【０００７】
【特許文献１】実開昭６２−５３３６７号公報
【発明の概要】
【発明が解決しようとする課題】
【０００８】
しかしながら、電力量計用化粧箱を用いる場合、化粧箱ベース１０を壁面に直に化粧箱ベース取付ねじ１２により取り付けた後に、化粧箱ベース１０に電力量計１を電力量計取付ねじ１３により取り付けている。即ち、ねじを取り付ける作業が多くなり、作業効率が悪化する。このため、コストがアップしてしまう。
【０００９】
本発明の課題は、電力量計を直に壁面にねじで取り付けた後に、ねじを使用しないで化粧箱を電力量計に取り付けることで、作業効率を向上させ、コストを低減することができる電力量計用化粧箱を提供する。
【課題を解決するための手段】
【００１０】
上記課題を解決するために、本発明に係る請求項１の発明は、正面部と側面部と背面部で形成され、前記背面部に電力量計を収納可能な開口部が形成された電力量計用化粧箱であって、前記背面部の上部と前記背面部の下部左右面に、前記電力量計の背面部を抱え込むように取り付けるための凸部が形成されていることを特徴とする。
【００１１】
請求項２の発明は、電力量計に取り付け可能に構成された電力量計用化粧箱であって、正面部と側面部と背面部で形成され、前記背面部に電力量計を収納可能な開口部が形成された化粧箱本体と、前記化粧箱本体の上部に取り付けられ、且つ上下に摺動することで前記電力量計を取付及び取外し可能な上部取付部と、前記化粧箱本体の下部の左右側面部に取り付けられ、且つ上下又は左右に摺動することで前記電力量計を取付及び取外し可能な下部取付部とを備えることを特徴とする。
【００１２】
請求項３の発明は、正面部と側面部と背面部で形成され、前記背面部に電力量計を収納可能な開口部が形成された化粧箱本体を有し、前記化粧箱本体の前記背面部の下部左右面に、前記電力量計の背面部を抱え込むように取り付けるための凸部が形成され、且つ前記化粧箱本体の上部に取り付けられ、且つ上下に摺動することで前記電力量計を取付及び取外し可能な上部取付部を備えることを特徴とする。
【００１３】
請求項４の発明は、正面部と側面部と背面部で形成され、前記背面部に電力量計を収納可能な開口部が形成された化粧箱本体を有し、前記化粧箱本体の前記背面部の上部に、前記電力量計の背面部を抱え込むように取り付けるための凸部が形成され、且つ前記化粧箱本体の下部の左右側面部に取り付けられ、且つ上下又は左右に摺動することで前記電力量計を取付及び取外し可能な下部取付部を備えることを特徴とする。
【００１４】
請求項５の発明は、正面部と側面部と背面部で形成され、前記背面部に電力量計を収納可能な開口部が形成された化粧箱カバーと、上部と下部左右面に前記電力量計の背面部を抱え込むように取り付けるための凸部が形成された化粧箱ベースとで構成された電力量計用化粧箱であって、前記化粧箱カバーには前記化粧箱ベースに取り付けるための化粧箱ベース嵌合部が設けられ、前記化粧箱ベースには前記化粧箱カバーを取り付けるための化粧箱カバー嵌合部が設けられ、前記化粧箱カバー嵌合部は、前記化粧箱ベース嵌合部に嵌合し、前記化粧箱ベース嵌合部は、前記電力量計の設定又は交換作業時に回転して、前記化粧箱カバーを退避させる被嵌合部を備えることを特徴とする。
【発明の効果】
【００１５】
本発明によれば、背面部の上部と背面部の下部左右面とに形成された凸部を手等で広げて化粧箱を電力量計に取り付けることができる。従って、電力量計を直に壁面にねじで取り付けた後に、ねじを使用しないで化粧箱を電力量計に取り付けることができるので、作業効率を向上させ、コストを低減することができる。
【図面の簡単な説明】
【００１６】
【図１】本発明の実施例１に係る電力量計用化粧箱の斜視図である。
【図２】本発明の実施例２に係る電力量計用化粧箱の斜視図である。
【図３】本発明の実施例２に係る化粧箱本体と上部取付部と下部取付部との斜視図である。
【図４】本発明の実施例２の変形例に係る電力量計用化粧箱の斜視図及び分解図である。
【図５】本発明の実施例２の変形例に係る電力量計用化粧箱の化粧箱本体と上部取付部と下部取付部との斜視図である。
【図６】本発明の実施例３に係る電力量計用化粧箱の斜視図及び分解図である。
【図７】本発明の実施例４に係る電力量計用化粧箱の斜視図及び分解図である。
【図８】本発明の実施例４の変形例に係る電力量計用化粧箱の斜視図及び分解図である。
【図９】本発明の実施例５に係る電力量計用化粧箱の斜視図である。
【図１０】本発明の実施例５に係る電力量計用化粧箱の化粧箱カバー、化粧箱ベースの斜視図である。
【図１１】従来の電力量計の斜視図である。
【図１２】従来の電力量計の分解図である。
【図１３】従来の電力量計に取り付けられた電力量計用化粧箱の斜視図である。
【発明を実施するための形態】
【００１７】
以下、本発明の実施の形態に係る電力量計用化粧箱について、図面を参照しながら詳細に説明する。
【実施例１】
【００１８】
図１（ａ）、図１（ｂ）は電力量計用化粧箱の斜視図、図１（ｃ）は電力量計１に取り付けられた電力量計用化粧箱の斜視図である。
【００１９】
電力量計用化粧箱１５は、図１（ａ）に示すように、正面部１５−１と側面部１５−２と背面部１５−３で形成され、電力量計１に取り付け可能に構成されている。図１（ｂ）に示すように、背面部１５−３には、電力量計１を収納可能に開口された開口部１７が形成されている。また、背面部１５−３の上部と背面部１５−３の下部左右面とには、電力量計１の背面部を抱え込むように取り付けるための凸部からなる上部取付部１８と下部取付部１９が形成されている。
【００２０】
上部取付部１８には、電力量計取付ねじ１３が電力量計用化粧箱１５に接触するのを回避するために、取付ねじ接触回避部２０が形成されている。
【００２１】
電力量計用化粧箱１５は、ポリカーボネート、ＡＢＳ、ポリプロピレン等の樹脂からなり、凸部からなる上部取付部１８と下部取付部１９とを手等で広げることができる。
【００２２】
また、正面部１５−１には、図１３に示す表示部１ａに対向する位置に、表示部１ａを視認可能に設けられた表示部用穴部１６が形成されている。また、表示部用穴部１６を図示しない透明板で覆うこともできる。この表示部用穴部１６および透明板は、大きさを変更することにより、表示部１ａ以外の検定マーク等の標記を視認可能にすることも可能である。
【００２３】
このように構成された実施例１に係る電力量計用化粧箱によれば、電力量計用化粧箱１５がポリカーボネート、ＡＢＳ、ポリプロピレン等の樹脂からなり、化粧箱の形状を変形することができる。このため、背面部１５−３の上部と下部左右面とに形成された凸部からなる上部取付部１８と下部取付部１９を手等で広げて、電力量計用化粧箱１５を電力量計１に取り付けることができる。
【００２４】
従って、電力量計１を直に壁面に電力量計取付ねじ１３で取り付けた後に、電力量計用化粧箱１５をねじを使用しないで電力量計１に取り付けることができるので、作業効率を向上させ、コストを低減することができる。
【実施例２】
【００２５】
図２（ａ）は本発明の実施例２に係る電力量計用化粧箱の斜視図、図２（ｂ）は電力量計１に取り付けられた電力量計用化粧箱の斜視図、図２（ｃ）は上部取付部を上方向に移動させ且つ下部取付部を下方向に移動させたときの電力量計用化粧箱の斜視図、図２（ｄ）は化粧箱本体と電力量計との分解図である。
【００２６】
電力量計用化粧箱は、化粧箱本体１５ａと、上部取付部１８ａと、下部取付部１９ａとを備えている。化粧箱本体１５ａは、正面部１５−１と側面部１５−２と背面部１５−３で形成され、背面部１５−３には、電力量計１を収納可能に開口された開口部１７が形成されている。
【００２７】
上部取付部１８ａは、化粧箱本体１５ａの上部に取り付けられ且つ図２（ｃ）に示すように化粧箱本体１５ａに対して上下に摺動することで電力量計１の取付及び取外し可能に構成されている。下部取付部１９ａは、化粧箱本体１５ａの下部の左側面部１５−２ａ及び右側面部１５−２ｂに取り付けられ且つ化粧箱本体１５ａに対して上下に摺動することで電力量計１の取付及び取外し可能に構成されている。
【００２８】
化粧箱本体１５ａは、ポリカーボネート、ＡＢＳ、ポリプロピレン等の樹脂からなり、上部取付部１８ａ及び下部取付部１９ａは、上記の樹脂又は、鉄、黄銅、アルミ等の金属からなる。
【００２９】
図３（ａ）、図３（ｂ）は化粧箱本体１５ａの斜視図、図３（ｃ）は上部取付部１８ａの斜視図、図３（ｄ）は下部取付部１９ａの斜視図である。化粧箱本体１５ａには、上部に段部１５１ａが形成され、段部１５１ａには凸部からなる２つの上部本体１５２が連結して形成されている。２つの上部本体１５２は、凹部１５３を挟んで左右対称に形成されている。２つの上部本体１５２の各々には、上下方向に溝部１５４が形成されている。
【００３０】
また、化粧箱本体１５ａには、下部に段部１５１ｂが形成され、段部１５１ｂには左側面部１５−２ａ及び右側面部１５−２ｂが連結して形成されている。左側面部１５−２ａ及び右側面部１５−２ｂの各々には、上下方向に溝部１５６が形成されている。
【００３１】
図３（ｃ）に示す上部取付部１８ａは、２つの開口部１５７、２つの仕切部１５８、４つの摺動用凸部１５９、４つの固定用凸部１６０を有している。２つの開口部１５７は、凸部からなる２つの上部本体１５２に嵌合するように開口されている。２つの仕切部１５８は、凹部１５３に挿入されるように構成されている。４つの摺動用凸部１５９は、上部取付部１８ａの四隅に形成され、２つの溝部１５４と２つの開口部１６１−１と嵌合して摺動することが可能である。
【００３２】
４つの固定用凸部１６０は、上部取付部１８ａの四隅に形成され、４つの摺動用凸部１５９よりも突起の高さが低く、２つの溝部１５４と２つの開口部１６１−１とに嵌合して、上部取付部１８ａを固定するストッパーの役目をなす。上部取付部１８ａは、２つの上部本体１５２及び凹部１５３を覆うとともに、取付蓋として段部１５１ａに当接する。
【００３３】
図３（ｄ）に示す下部取付部１９ａは、左側面部１５−２ａ及び右側面部１５−２ｂに対応して設けられ、２つの摺動用凸部１６２、２つの固定用凸部１６３を有している。２つの摺動用凸部１６２は、溝部１５６と開口部１６１−２と嵌合して摺動することが可能である。
【００３４】
２つの固定用凸部１６３は、２つの摺動用凸部１６２よりも突起の高さが低く、溝部１５６と開口部１６１−２と嵌合して、下部取付部１９ａを固定するストッパーの役目をなす。下部取付部１９ａは、左側面部１５−２ａ及び右側面部１５−２ｂを覆うとともに、取付蓋として段部１５１ｂに当接する。
【００３５】
このように構成された実施例２に係る電力量計用化粧箱によれば、上部取付部１８ａの摺動用凸部１５９を溝部１５４に沿って上方向に摺動させ、下部取付部１９ａの摺動用凸部１６２を溝部１５６に沿って下方向に摺動させて、電力量計用化粧箱を電力量計１に覆い被せることができる。
【００３６】
その後、上部取付部１８ａの摺動用凸部１５９を溝部１５４に沿って下方向に摺動させ、下部取付部１９ａの摺動用凸部１６２を溝部１５６に沿って上方向に摺動させることで、電力量計用化粧箱を電力量計１に取り付けることができる。
【００３７】
従って、電力量計１を直に壁面に電力量計取付ねじ１３で取り付けた後に、ねじを使用しないで電力量計用化粧箱１５を電力量計１に取り付けることができるので、作業効率を向上させ、コストを低減することができる。
【００３８】
また、化粧箱の取付時、取り外し時に、作業員は力を込める必要がなくなるため、化粧箱の取付時の作業を向上することができる。
［実施例２の変形例］
【００３９】
図４（ａ）は本発明の実施例２の変形例に係る電力量計用化粧箱の斜視図、図４（ｂ）は電力量計１に取り付けられた電力量計用化粧箱の斜視図、図４（ｃ）は上部取付部を上方向に移動させ且つ下部取付部を左右方向外側に移動させたときの電力量計用化粧箱の斜視図、図４（ｄ）は化粧箱本体と電力量計との分解図である。
【００４０】
図２に示す実施例２に係る電力量計用化粧箱は、下部取付部１９ａが上下方向に摺動したが、図４に示す実施例２の変形例に係る電力量計用化粧箱は、下部取付部１９ｂが左右方向に摺動可能であることを特徴とする。図４に示す実施例２の変形例に係る電力量計用化粧箱は、図２に示す実施例２に係る電力量計用化粧箱に対して、下部取付部１９ｂの構成のみが異なるので、下部取付部１９ｂの構成についてのみ説明する。
【００４１】
図５（ａ）、図５（ｂ）は化粧箱本体１５ｂの斜視図、図５（ｃ）は上部取付部１８ａの斜視図、図５（ｄ）は下部取付部１９ｂの斜視図である。化粧箱本体１５ｂの左側面部１５−２ｃ及び右側面部１５−２ｄの各々には、４つの溝部１５６ａが形成されている。４つの溝部１５６ａは、それぞれ左右方向が縦方向より長い溝として形成されている。
【００４２】
下部取付部１９ｂは、図５（ｄ）に示すように、左側面部１５−２ｃ及び右側面部１５−２ｄの各々に形成された２つの溝部１５６ａと開口部１６１−２とに対応して設けられた３つの摺動用凸部１６４と、４つの固定用凸部１６５とを有している。３つの摺動用凸部１６４は、２つの溝部１５６ａと開口部１６１−２とに嵌合して摺動することが可能である。
【００４３】
４つの固定用凸部１６５は、４つの摺動用凸部１６４よりも突起の高さが低く、２つの溝部１５６ａと開口部１６１−２とに嵌合して、下部取付部１９ｂを固定するストッパーの役目をなす。下部取付部１９ｂは、左側面部１５−２ｃ及び右側面部１５−２ｄを覆う。
【００４４】
このように構成された実施例２の変形例に係る電力量計用化粧箱によれば、上部取付部１８ａの摺動用凸部１５９を溝部１５４に沿って上方向に摺動させ、下部取付部１９ｂの摺動用凸部１６４を溝部１５６ａに沿って左右方向外側に摺動させて、電力量計用化粧箱を電力量計１に覆い被せることができる。
【００４５】
その後、上部取付部１８ａの摺動用凸部１５９を溝部１５４に沿って下方向に摺動させ、下部取付部１９ｂの摺動用凸部１６４を溝部１５６ａに沿って左右方向内側に摺動させることで、電力量計用化粧箱を電力量計１に取り付けることができる。
【００４６】
従って、電力量計１を直に壁面に電力量計取付ねじ１３で取り付けた後に、ねじを使用しないで電力量計用化粧箱を電力量計１に取り付けることができるので、作業効率を向上させ、コストを低減することができる。
【００４７】
また、化粧箱の取付時、取り外し時に、作業員は力を込める必要がなくなるため、化粧箱の取付時の作業を向上することができる。
【実施例３】
【００４８】
図６（ａ）は本発明の実施例３に係る電力量計用化粧箱の斜視図、図６（ｂ）は電力量計１に取り付けられた電力量計用化粧箱の斜視図、図６（ｃ）は上部取付部を上方向に移動させたときの電力量計用化粧箱の斜視図、図６（ｄ）は化粧箱本体と電力量計との分解図である。
【００４９】
実施例３に係る電力量計用化粧箱は、正面部１５−１と側面部１５−２と背面部１５−３で形成され、背面部１５−３に電力量計１を収納可能な開口部１７が形成された化粧箱本体１５ｃを有する。
【００５０】
化粧箱本体１５ｃの背面部１５−３の下部左右面に、電力量計１の背面部を抱え込むように取り付けるための凸部からなる下部取付部１９が形成されている。
【００５１】
また、化粧箱本体１５ｃの上部に取り付けられ、且つ上下に摺動することで電力量計１を取付及び取外し可能な上部取付部１８ａを備えることを特徴とする。
【００５２】
このように構成された実施例３に係る電力量計用化粧箱によれば、上部取付部１８ａを上方向に摺動させ、化粧箱本体１５ｃに形成された凸部からなる下部取付部１９を手で広げて、電力量計用化粧箱を電力量計１に覆い被せることができる。
【００５３】
その後、上部取付部１８ａを下方向に摺動させることで、電力量計用化粧箱を電力量計１に取り付けることができる。
【００５４】
従って、電力量計１を直に壁面に電力量計取付ねじ１３で取り付けた後に、ねじを使用しないで電力量計用化粧箱を電力量計１に取り付けることができるので、作業効率を向上させ、コストを低減することができる。
【実施例４】
【００５５】
図７（ａ）は本発明の実施例４に係る電力量計用化粧箱の斜視図、図７（ｂ）は電力量計１に取り付けられた電力量計用化粧箱の斜視図、図７（ｃ）は下部取付部を下方向に移動させたときの電力量計用化粧箱の斜視図、図７（ｄ）は化粧箱本体と電力量計との分解図である。
【００５６】
実施例４に係る電力量計用化粧箱は、正面部１５−１と側面部１５−２と背面部１５−３で形成され、背面部１５−３に電力量計１を収納可能な開口部１７が形成された化粧箱本体１５ｄを有する。
【００５７】
化粧箱本体１５ｄの背面部１５−３の上部に、電力量計１の背面部を抱え込むように取り付けるための凸部からなる上部取付部１８が形成されている。化粧箱本体１５ｄの下部の左右側面部に取り付けられ、且つ上下又は左右に摺動することで前記電力量計を取付及び取外し可能な下部取付部１９ａを備えることを特徴とする。
【００５８】
このように構成された実施例４に係る電力量計用化粧箱によれば、下部取付部１９ａを下方向に摺動させて、化粧箱本体１５ｄに形成された凸部からなる上部取付部１８を手で広げて、電力量計用化粧箱を電力量計１に覆い被せることができる。
【００５９】
その後、下部取付部１９ａを上方向に摺動させることで、電力量計用化粧箱を電力量計１に取り付けることができる。
【００６０】
従って、電力量計１を直に壁面に電力量計取付ねじ１３で取り付けた後に、ねじを使用しないで電力量計用化粧箱を電力量計１に取り付けることができるので、作業効率を向上させ、コストを低減することができる。
［実施例４の変形例］
【００６１】
図８（ａ）は本発明の実施例４の変形例に係る電力量計用化粧箱の斜視図、図８（ｂ）は電力量計１に取り付けられた電力量計用化粧箱の斜視図、図８（ｃ）は下部取付部を左右方向外側に移動させたときの電力量計用化粧箱の斜視図、図８（ｄ）は化粧箱本体と電力量計との分解図である。
【００６２】
図８に示す実施例４の変形例に係る電力量計用化粧箱は、図７に示す実施例４に係る電力量計用化粧箱の下部取付部１９ａの代わりに、左右に摺動可能な下部取付部１９ｂを用いたことを特徴とする。
【００６３】
このように構成された実施例４の変形例に係る電力量計用化粧箱によれば、下部取付部１９ｂを左右方向外側に摺動させて、化粧箱本体１５ｄに形成された凸部からなる上部取付部１８を手で広げて、電力量計用化粧箱１５ｅを電力量計１に覆い被せることができる。
【００６４】
その後、下部取付部１９ｂを左右方向内側に摺動させることで、電力量計用化粧箱１５ｅを電力量計１に取り付けることができる。
【００６５】
従って、電力量計１を直に壁面に電力量計取付ねじ１３で取り付けた後に、ねじを使用しないで電力量計用化粧箱１５ｅを電力量計１に取り付けることができるので、作業効率を向上させ、コストを低減することができる。
【実施例５】
【００６６】
図９（ａ）は本発明の実施例５に係る電力量計用化粧箱の斜視図、図９（ｂ）は電力量計に取り付けられた電力量計用化粧箱の斜視図、図９（ｃ）は化粧箱ベースと化粧箱カバーとが蝶番で連結された状態で化粧箱カバーを回転させたときの様子を示す図である。図１０（ａ）は本発明の実施例５に係る電力量計用化粧箱の化粧箱カバーの斜視図、図１０（ｂ）は化粧箱ベースの斜視図である。
【００６７】
実施例５に係る電力量計用化粧箱は、化粧箱ベース２２と、化粧箱カバー２３とからなる。化粧箱カバー２３は、正面部２３−１と側面部２３−２と背面部２３−３で形成され、背面部２３−３に電力量計１を収納可能な開口部２４が形成されている。化粧箱ベース２２及び化粧箱カバー２３は、ポリカーボネート、ＡＢＳ、ポリプロピレン等の樹脂からなる。
【００６８】
化粧箱ベース２２には、図１０（ｂ）に示すように、上部と下部左右面とに電力量計１の背面部を抱え込むように取り付けるための凸部２７，２８ａ，２８ｂが形成されている。凸部２７には、電力量計取付ねじ１３が電力量計用化粧箱１５に接触するのを回避するために、取付ねじ接触回避部２０が形成されている。
【００６９】
化粧箱カバー２３には化粧箱ベース２２に取り付けるための化粧箱ベース嵌合部２５が設けられている。化粧箱ベース２２には化粧箱カバー２３を取り付けるための化粧箱カバー嵌合部２９が設けられている。
【００７０】
化粧箱カバー嵌合部２９は、化粧箱ベース嵌合部２５に嵌合し、化粧箱ベース嵌合部２５は、電力量計１の設定又は交換作業時に回転して、化粧箱カバー２３を退避させる被嵌合部である円状の穴部２６を備えている。
【００７１】
穴部２６には化粧箱カバー嵌合部２９に形成された円柱突起が挿通している。穴部２６と円柱突起とで蝶番構造が形成されている。
【００７２】
このように構成された実施例５に係る電力量計用化粧箱によれば、電力量計用化粧箱を化粧箱ベース２２と化粧箱カバー２３との２部品に分割し、化粧箱ベース２２の上部と左右面に形成された凸部２７，２８ａ，２８ｂを手等で広げて電力量計用化粧箱１５を電力量計１に取り付けることができる。
【００７３】
また、穴部２６に化粧箱カバー嵌合部２９の円柱突起が挿通し、化粧箱カバー嵌合部２９が化粧箱ベース嵌合部２５に嵌合しているので、図９（ｃ）に示すように、化粧箱カバー２３を回転動作させることができる。このため、電力量計の保守作業において、作業効率を向上させることができる。
【符号の説明】
【００７４】
１  電力量計
１−１  回路部
１ａ  表示部
２  電流線取付ねじ
３  導体部
４  センサ部
５  ケース
６  ベース
７  カバー
８  カバー取付ねじ
１０，２２  化粧箱ベース
１１，２３  化粧箱カバー
１２  化粧箱ベース取付ねじ
１３  電力量計取付ねじ
１４  電流線
１５  電力量計用化粧箱
１５ａ〜１５ｅ  化粧箱本体
１５−１  正面部
１５−２  側面部
１５−３  背面部
１６  表示部用穴部
１７，２４，１５７，１６１−１，１６１−２  開口部
１８  上部取付部
１９  下部取付部
２０  取付ねじ接触回避部
２５  化粧箱ベース嵌合部
２６  穴部
２９  化粧箱カバー嵌合部
１５１ａ，１５１ｂ  段部
１５３  凹部
１５４，１５６  溝部
１５８  仕切部
１５９，１６２  摺動用凸部
１６０，１６３  固定用凸部
【図１】
2018004580.tif 000003
【図２】
2018004580.tif 000004
【図３】
2018004580.tif 000005
【図４】
2018004580.tif 000006
【図５】
2018004580.tif 000007
【図６】
2018004580.tif 000008
【図７】
2018004580.tif 000009
【図８】
2018004580.tif 000010
【図９】
2018004580.tif 000011
【図１０】
2018004580.tif 000012
【図１１】
2018004580.tif 000013
【図１２】
2018004580.tif 000014
【図１３】
2018004580.tif 000015